(57)【特許請求の範囲】
【請求項１】
画像データを形成するための撮像用の第１の画素と位相差オートフォーカスを行うための焦点検出用の第２の画素とが配列された撮像素子であって、前記第２の画素がＮ個（Ｎは２以上の整数）配置された第１のラインと、前記第２の画素がＭ個（ＭはＮよりも小さいゼロを含まない自然数）配置された第２のラインとを有する撮像素子を制御する制御装置であって、
前記撮像素子の前記第１のラインと第２のラインを読み出す第１の読み出しモードと、前記第１のラインを読み出す第２の読み出しモードと、前記第２のラインを読み出す第３の読み出しモードとを切り替えて前記撮像素子から撮像信号を読み出すように制御する制御手段を有することを特徴とする制御装置。
【請求項２】
前記撮像素子から出力された撮像信号に基づいて画像を表示する表示手段をさらに有し、
前記制御手段は、前記第１の読み出しモードで、前記撮像素子から出力された撮像信号に基づく撮影画像をメモリに記録し、前記第２の読み出しモードで、前記表示手段に前記撮像素子から出力された撮像信号に基づく撮影画像を表示するように制御することを特徴とする請求項１に記載の制御装置。
【請求項３】
前記制御手段は、前記第３の読み出しモードで、前記撮像素子から出力された撮像信号に基づく動画像をメモリに記録するように制御することを特徴とする請求項２に記載の制御装置。
【請求項４】
画像データを形成するための撮像用の第１の画素と位相差オートフォーカスを行うための焦点検出用の第２の画素とが配列された撮像素子であって、前記第２の画素がＮ個（Ｎは２以上の整数）配置された第１のラインと、前記第２の画素がＭ個（ＭはＮよりも小さいゼロを含まない自然数）配置された第２のラインと、前記第２の画素が配置されていない第３のラインとが周期的に配置された撮像素子を制御する制御装置であって、
前記撮像素子の前記第１、第２、及び第３のラインを読み出す第１の読み出しモードと、前記第１のラインを読み出す第２の読み出しモードと、前記第２のラインを読み出す第３の読み出しモードと、前記第３のラインを読み出す第４の読み出しモードとを切り替えて前記撮像素子から撮像信号を読み出すように制御する制御手段を有することを特徴とする制御装置。
【請求項５】
前記撮像素子から出力された撮像信号に基づいて画像を表示する表示手段をさらに有し、
前記制御手段は、前記第１の読み出しモードで、前記撮像素子から出力された撮像信号に基づく撮影画像をメモリに記録し、前記第２の読み出しモードで、前記表示手段に前記撮像素子から出力された撮像信号に基づく撮影画像を表示し、前記第３の読み出しモードで、前記撮像素子から出力された撮像信号に基づいて焦点検出を行うように制御することを特徴とする請求項４に記載の制御装置。
【請求項６】
前記制御手段は、前記第３の読み出しモードで、前記撮像素子から出力された撮像信号に基づく動画像をメモリに記録することを特徴とする請求項５に記載の制御装置。
【発明の詳細な説明】
【技術分野】
【０００１】
本発明は、デジタルスチルカメラなどの撮像装置に関する。
【背景技術】
【０００２】
近年、高画素撮像素子を用いたデジタルスチルカメラが製品化されている。一般に、高画素撮像素子を用いたデジタルスチルカメラにおいて、ＥＶＦ時や動画撮影時の撮像素子の動作は、ファインダーレートを速くするために、液晶表示装置の表示に必要な信号ライン以外を間引く駆動方法がとられている。
【０００３】
一方、高解像度のデジタルスチルカメラでは、銀塩カメラと同様に、静止画像を即座に撮りたいという要求が強い。そのため、レリーズスイッチを押してから撮影までの時間が短くなければならない。特に、ＡＦに関しては、合焦までの時間が短いということから、位相差ＡＦ方式に関する多くの発明が提案されている。
【０００４】
特許文献１は、機械的な位相差検出構造を持つことなく位相差ＡＦを行うために、撮像素子に位相差ＡＦ用の光電変換素子を配置し、撮像素子の出力信号を用いたＡＦ方式に関する技術を開示している。
【０００５】
特許文献２は、撮像素子に位相差ＡＦ用の光電変換素子が含まれる撮像装置において、ＥＶＦ時や動画撮影時において、撮像素子のラインを間引いて読み出す場合にＡＦ時と画像生成時とで読み出すラインを切り替える技術を開示している。
【先行技術文献】
【特許文献】
【０００６】
【特許文献１】特開２０００−１５６８２３号公報
【特許文献２】特開２００３−１９８９２５号公報
【発明の概要】
【発明が解決しようとする課題】
【０００７】
しかしながら、特許文献１、２の技術では、撮像素子に位相差ＡＦ用の光電変換素子を含むラインと含まないラインを持つ撮像素子について、ＥＶＦ表示時や動画撮影時には、位相差ＡＦ用の光電変換素子を含まないラインを読み出している。そして、ＡＦ時には位相差ＡＦ用の光電変換素子を含むラインを読み出している。この方法では、全てのラインに位相差ＡＦ用の光電変換素子が配置されている撮像素子には対応できない。
【０００８】
また、特許文献１、２の技術では、ＡＦを行うときは改めて撮像素子から位相差ＡＦ用の光電変換素子を含むラインを読み出し、ＡＦデータのみを使用する。そのため、特許文献２に記載されているようにＡＦ時は、ＥＶＦや動画では１つ前の画像を再表示または再記録することになり、途中でフリーズするような違和感のある動画が生成されてしまう。
【０００９】
本発明によれば、ＡＦの精度を効果的に変更可能な画素配置を持つ撮像素子を備える撮像装置を提供することを目的とする。
【課題を解決するための手段】
【００１０】
本発明の第１の側面は、制御装置に係り、画像データを形成するための撮像用の第１の画素と位相差オートフォーカスを行うための焦点検出用の第２の画素とが配列された撮像素子であって、前記第２の画素がＮ個（Ｎは２以上の整数）配置された第１のラインと、前記第２の画素がＭ個（ＭはＮよりも小さいゼロを含まない自然数）配置された第２のラインとを有する撮像素子を制御する制御装置であって、前記撮像素子の前記第１のラインと第２のラインを読み出す第１の読み出しモードと、前記第１のラインを読み出す第２の読み出しモードと、前記第２のラインを読み出す第３の読み出しモードとを切り替えて前記撮像素子から撮像信号を読み出すように制御する制御手段を有することを特徴とする。
【００１１】
本発明の第２の側面は、制御装置に係り、画像データを形成するための撮像用の第１の画素と位相差オートフォーカスを行うための焦点検出用の第２の画素とが配列された撮像素子であって、前記第２の画素がＮ個（Ｎは２以上の整数）配置された第１のラインと、前記第２の画素がＭ個（ＭはＮよりも小さいゼロを含まない自然数）配置された第２のラインと、前記第２の画素が配置されていない第３のラインとが周期的に配置された撮像素子を制御する制御装置であって、前記撮像素子の前記第１、第２、及び第３のラインを読み出す第１の読み出しモードと、前記第１のラインを読み出す第２の読み出しモードと、前記第２のラインを読み出す第３の読み出しモードと、前記第３のラインを読み出す第４の読み出しモードとを切り替えて前記撮像素子から撮像信号を読み出すように制御する制御手段を有することを特徴とする。
【発明の効果】
【００１２】
本発明によれば、ＡＦの精度を効果的に変更可能な画素配置を持つ撮像素子を備える撮像装置を提供することができる。
【図面の簡単な説明】
【００１３】
【図１】本発明の好適な第１の実施形態に係る撮像装置のブロック構成図である。
【図２】本発明の好適な第１の実施形態に係る撮像素子の概要図である。
【図３】本発明の好適な第２の実施形態に係る撮像素子の概要図である。
【図４】本発明の好適な第１の実施形態に係る静止画撮影時の読み出しモード切り替えの処理フローを示す図である。
【図５】本発明の好適な第１の実施形態に係る動画撮影時の読み出しモード切り替えの処理フローを示す図である。
【図６】本発明の好適な第２の実施形態に係る静止画撮影時の読み出しモード切り替えの処理フローを示す図である。
【図７】本発明の好適な第２の実施形態に係る動画撮影時の読み出しモード切り替えの処理フローを示す図である。
【発明を実施するための形態】
【００１４】
（第１の実施形態）
図１は、本発明の好適な第１の実施形態に係る撮像装置のブロック図である。レンズ１００を通って入射した被写体像は、撮像素子１０１で電気信号に光電変換される。ここで、撮像素子１０１には、図２に示すように画像データを形成するための撮像用画素（Ｒ、Ｇ、Ｂ）と位相差ＡＦを行うための焦点検出用画素（Ｓ１、Ｓ２）とが配列されている。
【００１５】
本実施形態では、図２に示すように、焦点検出用画素はＳ１とＳ２の画素がペアで配置され、ライン毎に焦点検出用画素の数が異なる撮像素子を例にあげる。本実施形態では、焦点検出用画素がＮ個（Ｎは２以上の整数）配置された第１のラインと、焦点検出用画素がＭ個（ＭはＮよりも小さい自然数）配置された第２のラインと、が周期的に配置される。例えば、図２を参照すると、焦点検出用画素が２つ配置されたライン（「ＥＤＦ」の矢印に対応）と、焦点検出用画素が１つ配置されたライン（「動画」の矢印に対応）と、が周期的に配置されている。
【００１６】
Ａ／Ｄ変換部１０３は、撮像素子１０１から出力された電気信号をデジタル信号に変換する。デジタル信号処理部１０４は、Ａ／Ｄ変換部１０３から出力されたデジタル信号を、ＹＵＶデータ形式の画像データに変換する。Ａ／Ｄ変換部１０３は、ＷＢ回路、γ補正回路及びマトリクス変換回路などで構成されうる。
【００１７】
また、デジタル信号処理部１０４は、撮像素子１０１の読み出しモードに応じて、Ａ／Ｄ変換部１０３から出力されるデジタル信号からＡＦデータを抽出する。
【００１８】
ＣＰＵ１０８は、その中に内蔵されたＲＯＭに記録された測距用セルの位置パターン情報に基づいて、焦点検出用画素（Ｓ１、Ｓ２）の位置を判断し、この部分の画素信号を周辺の画素より補間する。例えば、図２のＳ１を補間する場合には、周辺のＲ画素の画素信号を用いて、公知のバイキュービック法などを用いて行えばよい。その後、画像データをＹＵＶデータ形式の画像データに変換する。さらに、ＹＵＶデータ形式の画像データにγ補正などの処理を行う。
【００１９】
位相差検出部１０５は、デジタル信号処理部１０４から出力されたＡＦデータに基づいて位相差検出を行う。ここで、撮像素子による位相差検出の詳細は、特開２０００−１５６８２３号公報に記載されているため、詳細な説明は省略する。その概略を述べると、図２に示した撮像素子の概念図において、Ｓ１の行とＳ２の行はほとんど同一のラインとして、近似の像がマイクロレンズ上に結像される。撮像素子に像を結ぶカメラレンズが撮像素子上でピントが合っていれば、Ｓ１を含む行のＳ１群からの像信号と、Ｓ２を含む行のＳ２群の信号群からの像信号とは一致する。ピントを結ぶ点が撮像素子のイメージ面よりも前方か後方にあれば、Ｓ１を含む行のＳ１群からの像信号と、Ｓ２を含む行のＳ２群の信号群からの像信号との位相差が生じる。そして、結像点が前の場合と後の場合とでは、位相のずれ方向が逆になる。これは、原理的には、瞳分割位相差ＡＦと同じである。この原理に基づいて、Ｓ１の並びによりできる像（光の強弱による信号線）とＳ２の並びによりできる像とは、カメラレンズのフォーカスが合っていれば一致し、そうでなければずれる。
【００２０】
次に、位相差検出部１０５で得られた位相差検出結果は、ＣＰＵ１０８に送られる。ＣＰＵ１０８は、位相差検出部１０５から送られた検出結果に基づいて、鏡筒制御部１１１に制御信号を出力する。
【００２１】
操作部１１２は、撮影モードを静止画撮影と動画撮影に切り替えるボタンやシャッタースイッチ等の設定スイッチなどを含む。ＣＰＵ１０８は、操作部１１２で設定される撮影モードに応じて、タイミング制御部１０９に制御信号を送る。タイミングジェネレータ１１０は、タイミング制御部１０９からの制御信号に基づいて、画像データの読み出し駆動信号を生成する駆動信号生成手段として機能する。この読み出し駆動信号を撮影モードに応じて切り替えることによって、撮像素子１０１からのデータ読み出し方法が変化する。
【００２２】
撮影モードに応じて撮像素子１０１の読み出しモードを切り替える方法については、後述する。
【００２３】
デジタル信号処理部１０４から出力されるＹＵＶデータ形式の画像データは、ＥＶＦ表示用としてメモリＩ／Ｆ１０６を介して、メモリ１０７に一時的に保存される。ＬＣＤＩ／Ｆ１１３は、メモリ１０７に保存されたＹＵＶデータ形式の画像データを、メモリＩ／Ｆ１０６を介して読み出しＬＣＤ１１４の表示フォーマットに変換する。ＬＣＤ１１４は、ＬＣＤＩ／Ｆ１１３から出力される画像データに基づいてＥＶＦ表示を行う。
【００２４】
また、画像記録時はデジタル信号処理部１０４から出力されるＹＵＶデータ形式の画像データを、メモリＩ／Ｆ１０６を介して圧縮記録部１１５においてＪＰＥＧなどの規格に従って圧縮処理し、記録媒体１１６に記録する。
【００２５】
次いで、上述した静止画撮影時における撮像素子１０１の読み出しモードの切り替え方法について図４を参照して説明する。
【００２６】
ここで、全てのラインを読み出す第１の読み出しモードを静止画モードとする。また、図２に示すように、撮像素子からラインを間引いて読み出すモードにおいて、焦点検出用画素の多いラインを読み出す第２の読み出しモードをＥＶＦモードとする。また、焦点検出用画素の少ないラインを読み出す第３の読み出しモードを動画モードとする。
【００２７】
本実施形態の撮像装置の電源がＯＮ状態であり、操作部１１２において撮影モードが静止画撮影モードに設定されたときから、処理フローがスタートするものとする。なお、以下の処理は明示がない限り、ＣＰＵ１０８で行われるものとする。
【００２８】
Ｓ１００では、タイミングジェネレータ１１０をＥＶＦモードに設定する。これにより撮像素子１０１からは焦点検出用画素が多いラインが読み出されることになる。
【００２９】
Ｓ１０１では、操作部１１２のシャッタースイッチが半押し状態になっているか否かを判別する。ここで、シャッタースイッチが半押しされていなければ（Ｓ１０１で「ＮＯ」）、Ｓ１０１を繰り返す。シャッタースイッチが半押しされているときは（Ｓ１０１で「ＹＥＳ」）、Ｓ１０２へ進む。
【００３０】
Ｓ１０２では、撮像素子１０１から読み出した画像データから抽出されるＡＦデータを用いて位相差検出を行う。そして、位相差が減少するように鏡筒制御部１１１により鏡筒を動かしてレンズ位置を移動させ、フォーカスを合わせる。
【００３１】
Ｓ１０３では、シャッタースイッチの状態を判別する。ここで、シャッタースイッチが半押しのままであれば、Ｓ１０３を繰り返す。シャッタースイッチが離れていれば、Ｓ１０１に戻る。シャッタースイッチが全押しされていれば、Ｓ１０４へ進む。
【００３２】
Ｓ１０４では、タイミングジェネレータ１１０を静止画モードに設定する。静止画モードでは、撮像素子１０１において全てのラインから撮影画像を読み出す。
【００３３】
Ｓ１０５では、読み出された撮影画像（静止画）をキャプチャーし、記録媒体１１６に記録する。
【００３４】
この後は、操作部１１２で電源がＯＦＦ状態に設定されるまで、Ｓ１００からの処理フローを繰り返し行う。
【００３５】
以上の処理フローによって、本実施形態における静止画撮影では、高解像度用にＡＦ精度を高くすることができる。これにより、ＥＶＦ中は撮像素子１０１から焦点検出用画素が多いラインを読み出して、オートフォーカスとＥＶＦ表示を行う。静止画像を記録するときには、撮像素子１０１の全てのラインを読み出す。その結果、高解像度の画像を記録することが可能となる。
【００３６】
次いで、動画撮影時における撮像素子１０１の読み出しモードの切り替え方法について図５を用いて説明する。
【００３７】
本実施形態の撮像装置の電源がＯＮ状態であり、操作部１１２において撮影モードが静止画撮影モードに設定されたときから、処理フローがスタートするものとする。なお、以下の処理は明示がない限り、ＣＰＵ１０８で行われるものとする。
【００３８】
Ｓ２００では、タイミングジェネレータ１１０を動画モードに設定する。これにより撮像素子１０１からは焦点検出用画素が少ないラインが読み出される。
【００３９】
Ｓ２０１では、オートフォーカスを行う。オートフォーカスは、静止画撮影時と同様に、撮像素子１０１から読み出した画像データから抽出されるＡＦデータを用いて位相差検出を行う。そして、位相差が減少するように鏡筒制御部１１１により鏡筒を動かしてレンズ位置を移動させ、フォーカスを合わせる。
【００４０】
Ｓ２０２では、操作部１１２において動画撮影開始ボタンが押されたか否かを判別する。ここで、動画撮影開始ボタンが押されていなければ（Ｓ２０２で「ＮＯ」）、Ｓ２０３へ進み、動画撮影開始ボタンが押されていれば（Ｓ２０２で「ＹＥＳ」）、Ｓ２０４へ進む。。
【００４１】
Ｓ２０３では、タイマを予め設定された値と比較し、前回のオートフォーカスを行ってから、どれ位の時間が経過したかを判別する。図５では、タイマを０．２秒と比較した場合を例示的に示しているが、本発明はこれに限定されない。０．２秒以上経過している場合は（Ｓ２０３で「ＹＥＳ」）、Ｓ２０１へ戻り、再びオートフォーカスを行う。０．２秒以上経過していない場合は（Ｓ２０３で「ＮＯ」）、Ｓ２０２を繰り返し行う。
【００４２】
Ｓ２０４では、動画をキャプチャーし、画像データを記録媒体１１６に記録する。
【００４３】
Ｓ２０５では、操作部１１２において動画撮影終了ボタンが押されたか否かを判別する。動画撮影終了ボタンが押されたときは（Ｓ２０５で「ＹＥＳ」）、Ｓ２０２へ戻る。動画撮影終了ボタンが押されていないときは（Ｓ２０５で「ＮＯ」）、Ｓ２０６へ進む。
【００４４】
Ｓ２０６では、前回のオートフォーカスを行ってから、Ｓ２０６に移るまでに、予め設定された時間（例えば、図５では０．２秒）以上経過したか否かかを判別する。０．２秒以上経過している場合は（Ｓ２０６で「ＹＥＳ」）、Ｓ２０７に進み、再びオートフォーカスを行う。その後、Ｓ２０４へ戻り、動画像をキャプチャーし、画像データを記録媒体１１６に記録する。
【００４５】
Ｓ２０６において０．２秒以上たっていない場合は（Ｓ２０６で「ＮＯ」）、オートフォーカスを行わずに、Ｓ２０４へ戻り、動画像をキャプチャーし、画像データを記録媒体１１６に記録する。この後は、操作部１１２で電源がＯＦＦ状態に設定されるまで、Ｓ２００からの処理フローを繰り返し行う。
【００４６】
以上の処理フローによって、本実施形態における動画撮影では、静止画撮影時のＥＶＦよりも画質の良い動画を記録するために、撮像素子１０１から焦点検出用画素が少ないラインを読み出す。これにより、ＥＶＦ画像よりも良い画質で動画を記録することが可能となる。
【００４７】
（第２の実施形態）
第１の実施形態では、図２に示すように、撮像素子１０１のどのラインにも、必ず焦点検出用画素が含まれていた。これに対し、第２の実施形態では、図３に示すように、撮像素子１０１において焦点検出用画素を含まない第３のライン（「記録表示」の矢印に対応）がある。以下、本実施形態に係る撮像素子の読み出しモードの切り替えについて説明する。なお、本実施形態に係る撮像装置のブロック図は、図１と同様である。
【００４８】
ここで、本実施形態に係る静止画撮影時の撮像素子１０１の読み出しモード切り替えについて図６を用いて説明する。
【００４９】
ここで、間引かずに全てのラインを読み出す第１の読み出しモードを静止画モードとする。また、図３に示すように撮像素子１０１からラインを間引いて読み出すモードにおいて、位相差ＡＦ用の焦点検出用画素が多いライン（図３では、１ラインに２つ）を読み出す第２の読み出しモードをＥＶＦ_ＡＦモードとする。また、焦点検出用画素が少ないライン（図３では、１ラインに１つ）を読み出す第３の読み出しモードを動画_ＡＦモードとする。また、焦点検出用画素のないラインを読み出す第４の読み出しモードを記録表示モードとする。
【００５０】
本実施形態の撮像装置の電源がＯＮ状態であり、操作部１１２において撮影モードが静止画撮影モードに設定されたときから、処理フローがスタートするものとする。
【００５１】
Ｓ３００では、タイミングジェネレータ１１０を記録表示モードに設定する。これにより、撮像素子１０１からは焦点検出用画素を含まないラインが読み出される。
【００５２】
Ｓ３０１では、操作部１１２のシャッタースイッチが半押し状態になっているか否かを判別する。ここで、シャッタースイッチが半押しされていなければ（Ｓ３０１で「ＮＯ」）、Ｓ３０１を繰り返す。シャッタースイッチが半押しされていれば（Ｓ３０１で「ＹＥＳ」）、Ｓ３０２へ進む。
【００５３】
Ｓ３０２では、タイミングジェネレータ１１０をＥＶＦ_ＡＦモードに設定する。これにより、撮像素子１０１からは焦点検出用画素が多いラインを読み出すことになる。
【００５４】
Ｓ３０３では、撮像素子１０１から読み出した画像データから抽出されるＡＦデータを用いて位相差検出を行う。そして、位相差が減少するように鏡筒制御部１１１により鏡筒を動かしてレンズ位置を移動させ、フォーカスを合わせる。
【００５５】
Ｓ３０４では、シャッタースイッチの状態を判別する。ここで、シャッタースイッチが半押しのままであれば、Ｓ３０４を繰り返す。シャッタースイッチを離れていれば、Ｓ３００に戻る。シャッタースイッチが全押しされているときは、Ｓ３０５へ進む。
【００５６】
Ｓ３０５では、タイミングジェネレータ１１０を静止画モードに設定する。静止画モードでは、撮像素子１０１において全てのラインから画像データを読み出す。
【００５７】
Ｓ３０６では、読み出された画像データをキャプチャーし、記録媒体１１６に記録する。この後は、操作部１１２で電源がＯＦＦ状態に設定されるまで、Ｓ３００からの処理フローを繰り返し行う。
【００５８】
以上の処理フローによって、本実施形態における静止画撮影では、ＡＦを行わない場合のＥＶＦの画質を良くするために、以下の処理を行う。すなわち、オートフォーカスを行わない場合には、撮像素子において位相差ＡＦ用の焦点検出用画素を含まないラインを読み出し、ＥＶＦ表示を行う。ＡＦを行う場合には、高解像度用にＡＦ精度を高くするため、撮像素子から焦点検出用画素が多いラインを読み出し、オートフォーカス及びＥＶＦ表示を行う。さらに、静止画像を記録するときに、撮像素子の全てのラインを読み出すことによって、高解像度の画像を記録することが可能となる。
【００５９】
次いで、動画撮影時における撮像素子１０１の読み出しモードの切り替え方法について、図７を用いて説明する。
【００６０】
本実施形態の撮像装置の電源がＯＮ状態であり、操作部１１２において撮影モードが静止画撮影モードに設定されたときから、処理フローがスタートするものとする。
【００６１】
Ｓ４００では、タイミングジェネレータ１１０を動画_ＡＦモードに設定する。これにより、撮像素子１０１からは焦点検出用画素が少ないラインが読み出される。
【００６２】
Ｓ４０１では、オートフォーカスを行う。オートフォーカスは、静止画撮影時と同様に、撮像素子１０１から読み出した画像データから抽出されるＡＦデータを用いて位相差検出を行う。そして、位相差が減少するように鏡筒制御部１１１により鏡筒を動かしてレンズ位置を移動させ、フォーカスを合わせる。
【００６３】
Ｓ４０２では、タイミングジェネレータ１１０を記録表示モードに設定する。これにより、撮像素子１０１からは焦点検出用画素を含まないラインが読み出される。
【００６４】
Ｓ４０３では、操作部１１２において動画撮影開始ボタンが押されたか否かを判別する。ここで、動画撮影開始ボタンが押されていない場合には（Ｓ４０３で「ＮＯ」）、Ｓ４０４へ進む。
【００６５】
Ｓ４０４では、タイマを予め設定された値と比較し、前回のオートフォーカスを行ってから、どれ位の時間が経過したかを判別する。図７では、タイマを０．２秒と比較した場合を例示的に示しているが、本発明はこれに限定されない。０．２秒以上経過している場合は（Ｓ４０４で「ＹＥＳ」）、Ｓ４００へ戻る。０．２秒以上経過していない場合は（Ｓ４０４で「ＮＯ」）、Ｓ４０３を繰り返し行う。
【００６６】
Ｓ４０５では、動画像をキャプチャーし、画像データを記録媒体１１６に記録する。
【００６７】
Ｓ４０６では、操作部１１２において動画撮影終了ボタンが押されたか否かを判別する。動画撮影終了ボタンが押されたときは（Ｓ４０６で「ＹＥＳ」）、Ｓ４０３へ戻る。撮影終了ボタンが押されていないときは（Ｓ４０６で「ＮＯ」）、Ｓ４０７へ進む。
【００６８】
Ｓ４０７では、前回のオートフォーカスを行ってからＳ４０７に移るまでに、予め設定された時間（例えば、図７では０．２秒）以上経過したか否かを判別する。０．２秒以上経過していない場合は（Ｓ４０７で「ＮＯ」）、Ｓ４０５へ戻り、動画像をキャプチャーし、画像データを記録媒体１１６に記録する。０．２秒以上経過している場合は（Ｓ４０７で「ＹＥＳ」）、Ｓ４０８に進む。
【００６９】
Ｓ４０８では、タイミングジェネレータ１１０を動画_ＡＦモードに設定する。これにより、撮像素子１０１からは焦点検出用画素が少ないラインを読み出すことになる。
【００７０】
Ｓ４０９では、オートフォーカスを行う。
【００７１】
Ｓ４１０では、動画像をキャプチャーし、画像データを記録媒体１１６に記録する。このとき記録される画像は、タイミングジェネレータ１１０を動画_ＡＦモードで読み出した画像データから生成された画像である。
【００７２】
Ｓ４１１では、タイミングジェネレータ１１０を記録表示モードに設定する。その後、Ｓ４０５へ戻り処理フローを繰り返す。この後は、操作部１１２で電源がＯＦＦ状態に設定されるまで、Ｓ４００からの処理フローを繰り返し行う。
【００７３】
以上の処理フローによって、本実施形態における動画撮影では、オートフォーカスを行わないときは、撮像素子１０１から位相差ＡＦ用の光電変換素子を含まないラインを読み出す。そして、オートフォーカスを行うときは、静止画撮影時のＥＶＦよりも画質の良い動画を記録するために、撮像素子１０１から焦点検出用画素が少ないラインを読み出す。これにより、ＥＶＦ画像よりも良い画質で動画を記録することが可能となる。
【符号の説明】
【００７４】
１０１  撮像素子
Ｒ、Ｇ、Ｂ  撮像用画素
Ｓ１、Ｓ２  焦点検出用画素
【図１】
0005501405.tif 000002
【図２】
0005501405.tif 000003
【図３】
0005501405.tif 000004
【図４】
0005501405.tif 000005
【図５】
0005501405.tif 000006
【図６】
0005501405.tif 000007
【図７】
0005501405.tif 000008